【手続補正書】
【提出日】平成18年6月6日(2006.6.6)
【手続補正１】
【補正対象書類名】明細書
【補正対象項目名】発明の名称
【補正方法】変更
【補正の内容】
【発明の名称】画像形成方法、画像形成装置および前記方法に用いられる中間転写体
【手続補正２】
【補正対象書類名】明細書
【補正対象項目名】特許請求の範囲
【補正方法】変更
【補正の内容】
【特許請求の範囲】
【請求項１】  中間転写体に、プラズマ処理と界面活性剤の付与処理を行う工程と、
前記プラズマ処理と界面活性剤の付与処理が行われた中間転写体上にインクを吐出して画像を形成する工程と、
当該中間転写体上に形成された画像を記録媒体に転写する工程と、
を具えたことを特徴とする画像形成方法。
【請求項２】  前記プラズマ処理は、大気圧もしくは減圧下で行われることを特徴とする請求項１に記載の画像形成方法。
【請求項３】  前記中間転写体は、ゴム硬度１０°乃至１００°の範囲の弾性体で形成されている表面層を有することを特徴とする請求項１または２に記載の画像形成方法。
【請求項４】  前記画像を形成するに先立って、前記中間転写体にインクを高粘度化するための成分を付与する工程を具えたことを特徴とする請求項１ないし３のいずれかに記載の画像形成方法。
【請求項５】  前記インクを高粘度化するための成分は、少なくとも金属イオンを含む水溶液であることを特徴とする請求項４に記載の画像形成方法。
【請求項６】  前記記録媒体に前記画像を転写するに先立って、前記インク中の水分除去を促進する工程を具えたことを特徴とする請求項１ないし５のいずれかに記載の画像形成方法。
【請求項７】  前記中間転写体をクリーニングする工程を具えたこと特徴とする実施態様１ないし６のいずれかに記載の画像形成方法。
【請求項８】  弗素ゴムもしくはシリコーンゴムの少なくとも一方の材料を含む表面を有し、プラズマ処理および界面活性剤の付与処理による前記表面の改質処理が施された中間転写体を用意する工程と、
前記中間転写体に、インクジェット記録手段を用いてインクを吐出して画像を形成する工程と、
当該中間転写体上に形成された画像を記録媒体に転写する工程と、
を具えたことを特徴とする画像形成方法。
【請求項９】  中間転写体に、プラズマ処理と界面活性剤の付与処理を行う手段と、
前記プラズマ処理と界面活性剤の付与処理が行われた中間転写体上にインクを吐出することで画像を形成する手段と、
当該中間転写体上に形成された画像を記録媒体に転写する手段と、
を具えたことを特徴とする画像形成装置。
【請求項１０】  弗素ゴムもしくはシリコーンゴムの少なくとも一方の材料を含む表面を有し、プラズマ処理および界面活性剤の付与処理による前記表面の改質処理が施された中間転写体を設置する設置手段と、
前記設置手段に設置された中間転写体に、インクジェット記録手段を用いてインクを吐出して画像を形成する手段と、
当該中間転写体上に形成された画像を記録媒体に転写する手段と、
を具えたことを特徴とする画像形成装置。
【請求項１１】  弗素化合物もしくはシリコーン化合物の少なくとも一方の材料でなる表面を有し、該表面に画像が形成されるとともに、当該形成された画像を記録媒体に転写するために用いられる中間転写体に、プラズマ処理と界面活性剤の付与により前記表面の改質処理を施すことを特徴とする中間転写体の表面改質方法。
【請求項１２】  弗素化合物もしくはシリコーン化合物の少なくとも一方の材料でなる表面を有し、該表面に画像が形成されるとともに、当該形成された画像を記録媒体に転写するために用いられる中間転写体であって、プラズマ処理と界面活性剤の付与により前記表面の改質処理が施されてなることを特徴とする中間転写体。
【請求項１３】  中間転写体の表面にプラズマ処理を施す工程と、
前記プラズマ処理が施された中間転写体上に、前記中間転写体の表面の濡れ性を向上させるための界面活性剤を含む液体を付与する工程と、
前記界面活性剤を含む液体が付与された中間転写体上に、インクと反応する反応液を付与する工程と、
前記反応液が付与された中間転写体上に、インクジェット記録手段を用いてインクを吐出して画像を形成する工程と、
前記中間転写体上に形成された画像を記録媒体に転写する工程と、
を具えたことを特徴とする画像形成方法。
【請求項１４】  弗素ゴムもしくはシリコーンゴムの少なくとも一方の材料を含む表面を有し、プラズマ処理および界面活性剤を含む液体の付与処理が行われた中間転写体を用意する工程と、
前記中間転写体に、当該中間転写体上でのインクの流動性を低下させるための液体を付与する工程と、
前記液体が付与された中間転写体上に、インクジェット記録手段を用いてインクを吐出して画像を形成する工程と、
前記中間転写体上に形成された画像を記録媒体に転写する工程と、
を具えたことを特徴とする画像形成方法。
【手続補正３】
【補正対象書類名】明細書
【補正対象項目名】００１８
【補正方法】変更
【補正の内容】
【００１８】
【課題を解決するための手段】
そのために、本発明の画像形成方法は、中間転写体に、プラズマ処理と界面活性剤の付与処理を行う工程と、前記プラズマ処理と界面活性剤の付与処理が行われた中間転写体上にインクを吐出して画像を形成する工程と、当該中間転写体上に形成された画像を記録媒体に転写する工程と、を具えたことを特徴とする。
【手続補正４】
【補正対象書類名】明細書
【補正対象項目名】００１９
【補正方法】変更
【補正の内容】
【００１９】
また、本発明の画像形成方法は、弗素ゴムもしくはシリコーンゴムの少なくとも一方の材料を含む表面を有し、プラズマ処理および界面活性剤の付与処理による前記表面の改質処理が施された中間転写体を用意する工程と、前記中間転写体に、インクジェット記録手段を用いてインクを吐出して画像を形成する工程と、当該中間転写体上に形成された画像を記録媒体に転写する工程と、を具えたことを特徴とする。
さらに、本発明画像形成装置は、中間転写体にプラズマ処理と界面活性剤の付与処理を行う手段と、前記プラズマ処理と界面活性剤の付与処理が行われた表面を有する中間転写体上にインクを吐出することで画像を形成する手段と、当該中間転写体上に形成された画像を記録媒体に転写する手段と、を具えたことを特徴とする。
また、本発明画像形成装置は、弗素ゴムもしくはシリコーンゴムの少なくとも一方の材料を含む表面を有し、プラズマ処理および界面活性剤の付与処理による前記表面の改質処理が施された中間転写体を設置する設置手段と、前記設置手段に設置された中間転写体に、インクジェット記録手段を用いてインクを吐出して画像を形成する手段と、当該中間転写体上に形成された画像を記録媒体に転写する手段と、を具えたことを特徴とする。
加えて、本発明は、弗素化合物もしくはシリコーン化合物の少なくとも一方の材料でなる表面を有し、該表面に画像が形成されるとともに、当該形成された画像を記録媒体に転写するために用いられる中間転写体に、プラズマ処理と界面活性剤の付与により前記表面の改質処理を施す中間転写体の表面改質方法、およびこれにより表面改質された中間転写体に存する。
また、本発明画像形成方法は、中間転写体の表面にプラズマ処理を施す工程と、
前記プラズマ処理が施された中間転写体上に、前記中間転写体の表面の濡れ性を向上させるための界面活性剤を含む液体を付与する工程と、前記界面活性剤を含む液体が付与された中間転写体上に、インクと反応する反応液を付与する工程と、前記反応液が付与された中間転写体上に、インクジェット記録手段を用いてインクを吐出して画像を形成する工程と、前記中間転写体上に形成された画像を記録媒体に転写する工程と、を具えたことを特徴とする。
さらに加えて、本発明画像形成方法は、弗素ゴムもしくはシリコーンゴムの少なくとも一方の材料を含む表面を有し、プラズマ処理および界面活性剤を含む液体の付与処理が行われた中間転写体を用意する工程と、前記中間転写体に、当該中間転写体上でのインクの流動性を低下させるための液体を付与する工程と、前記液体が付与された中間転写体上に、インクジェット記録手段を用いてインクを吐出して画像を形成する工程と、前記中間転写体上に形成された画像を記録媒体に転写する工程と、を具えたことを特徴とする。